(57)【要約】【課題】封水Ｗと混合しやすく寒冷地でも使用できる安全性の高い蒸発圧低下剤を提供する。【解決手段】排水トラップＴに投入して使用するもので、グリセリンと尿素とアルカリ還元水とを有すると共に、グリセリンを10〜80重量％、尿素を５〜20重量％、残りを主としてアルカリ還元水とした。【選択図】図１
2011252346.tif 000002
【特許請求の範囲】
【請求項１】
グリセリンと尿素とアルカリ還元水とを有することを特徴とする蒸発圧低下剤。
【請求項２】
グリセリンを10〜80重量％、尿素を５〜20重量％、残りを主としてアルカリ還元水としたことを特徴とする蒸発圧低下剤。
【請求項３】
上記グリセリンは、廃グリセロールを蒸留生成したものである請求項１又は２記載の蒸発圧低下剤。
【発明の詳細な説明】
【技術分野】
【０００１】
本発明は、蒸発圧低下剤に関する。
【背景技術】
【０００２】
従来、洗面台、流し台等の排水管は、下水側から悪臭が室内に入ったり、害虫等の生物が室内に入るのを防止するために、水を溜めるための排水トラップが設けられている。しかし、家を不在にしたり、マンションの借り手がいない等の理由により、長期間洗面台、流し台等を使用しない場合、封水が蒸発して（渇水して）下水側から悪臭が室内に入ったり、害虫等の生物が室内に入る虞がある。そこで、封水の蒸発を防ぐために、封水に油を投入して水面を被覆していた（例えば、非特許文献１参照）。
【０００３】
しかし、上記油は水より比重が軽く、投入した際に、封水の中を排水口側から下水側へ移動しづらいという欠点があった。さらに、寒冷地では排水トラップ内の水が凍ってしまう問題もあり、従来、エチレングリコールが寒冷地用として使用される場合もあった。
【先行技術文献】
【特許文献】
【０００４】
【非特許文献１】「トラップキーパー・ＥＣ−１０１」ホームページアドレス http://www.lifestyle-service.net/torapkeep/torapkeep.htm
【発明の概要】
【発明が解決しようとする課題】
【０００５】
しかし、上記油を投入した際に、封水の中を排水口側から下水側へ移動しづらい。また、上記エチレングリコールは致死量が設定されている毒劇物であって、自然界に流出すると危険性が高い。また、セントラルヒーティング用冷媒（水）として、寒冷地では水が凍結するという問題があった。
【課題を解決するための手段】
【０００６】
そこで、本発明は、蒸発圧を低下させるのに有効であって、グリセリンと尿素とアルカリ還元水とを有する。
また、グリセリンを10〜80重量％、尿素を５〜20重量％、残りを主としてアルカリ還元水としたものである。
また、上記グリセリンは、廃グリセロールを蒸留生成したものである。
【発明の効果】
【０００７】
本発明によれば、排水トラップへ投入した際に、封水の全体と簡単に混合する。さらに、蒸発しにくく、長期間にわたって封水作用を確実になす。特に、寒冷地に於ては、蒸発圧が十分に低下して、凍結することがなく、安全性も高い。しかも、現在、（処理に困る不要な物質として）多量に保管されている廃グリセロールの処分促進にも貢献できる。また、セントラルヒーティング用の冷媒（水）として、蒸発圧が低下することによって凍結を防止できる。
【図面の簡単な説明】
【０００８】
【図１】本発明に係る蒸発圧低下剤の使用状態の簡略説明図である。
【図２】本発明に係る蒸発圧低下剤の使用状態の簡略説明図である。
【図３】水 100％の蒸発性の実験結果を示すグラフ図である。
【図４】本発明実施例（品）の蒸発圧低下剤50ccと水50ccとを混合したものの蒸発性の実験結果を示すグラフ図である。
【発明を実施するための形態】
【０００９】
図１と図２に於て、Ｕ字型の排水トラップＴを有する排水管２の上方開口部３から、本発明に係る蒸発圧低下剤５を投入すると、排水トラップＴ内の封水Ｗと混合する。
即ち、本発明の蒸発圧低下剤５は、グリセリンと尿素とアルカリ還元水とを含み、具体的には、グリセリンを10〜80重量％、尿素を５〜20重量％、残りを主としてアルカリ還元水（電解アルカリ還元水ともいう）とした成分から成る。
残りを「主としてアルカリ還元水とした」とは、例えば、５重量％未満の界面活性剤等が付加されることを言う。
【００１０】
図１に示すように、排水トラップＴの開口側から投入すれば、自然に封水Ｗ全体と混合されて混合封水液10となる。
そして、上記グリセリンとしては廃グリセロールを蒸留生成したものが望ましい。この廃グリセロールは、食用廃油をエステル化して得られるバイオディーゼルフューエル（ＢＤＦ）が好適である。つまり、黒色の不要物として、現在、処理に困っているＢＤＦを有効利用可能となる利点がある。
なお、蒸発圧低下剤５のｐＨ値を、 9.0〜10.0とする。これによって、雑菌の繁殖を抑える効果が発揮される。
【００１１】
そして、前述の如く、グリセリンを10〜80重量％としたが、下限値未満であると、（蒸発圧が十分低下せず）図２に示す混合封水液10から水分の蒸発が速く、かつ、凍結しやすくなって、寒冷地での実用に耐えられなくなる。上限値を越せば、引火（燃焼）の危険性が生ずる。また、上限値を越すと粘度が大きくなってしまって、排水トラップＴの下部へ沈澱して溜まる場合もある。
尿素を５〜20重量％としたが、下限値未満では、（蒸発圧が十分低下せず）封水液10からの水分の蒸発が速く、かつ、凍結しやすくなり、寒冷地での実用に耐えられなくなる。上限値を越せば、グリセリンと尿素とが反応して凝固物が生ずる。つまり、廃グリセロールには油脂分が含まれており蒸留精製をしても完全除去が困難なため、この微量の油脂分と尿素とが反応して凝固し、白濁色となる。
【００１２】
界面活性剤は５％未満とする。この界面活性剤は封水の発泡を抑制するためのものである。なお、電解アルカリイオン水の割合（％）が大きくなると蒸発圧が上昇し、氷点も上昇する。本来、グリセリンの氷点は約− 120℃であるが、これに電解アルカリイオン水が加わるため、氷点が上昇することとなり、氷点を、−40℃〜−25℃とする。望ましくは−38℃〜−30℃とする。
【実施例】
【００１３】
次の表１の蒸発圧低下剤を作成した。
【表１】
2011252346.tif 000003
【００１４】
上記表１の実施例（実施品）のものを50ccと水50ccとを混合して 100ccの封水について実験した結果を図４のグラフ図に示す。横軸は日を、縦軸は容量を示す。図３はこれと比較のために、水 100％のものを 100cc封水とした場合を示す。いずれも室温27℃である。
図３に示すように、単なる水では、12.5日で蒸発して無くなる。これに対し、図４に示した本発明の実施例では、 540日掛っても58ccが残り、これから排水管に、10ヶ月に１度、約40〜50cc程度の水を補充すれば良いことが分かる。
【００１５】
このように、蒸発を抑制する作用についても、本発明が優れた作用効果を示す。なお、季節によって、多少、蒸発性に差を生ずる。
なお、本発明の蒸発圧低下剤５を洋式トイレの便器内に投入使用しても良い。また、成分として、除菌剤を僅かに含有させておくも自由である。
【００１６】
以上述べたように、本発明は、グリセリンと尿素とアルカリ還元水とを有する蒸発圧低下剤であって、自然界へ与える影響も少なく、寒冷地に於て、凍結せず、安心して使用できる。
さらに、蒸発しにくく長期間にわたって渇水せず、例えば、10ヶ月に１度の補給で十分である。さらに、本剤をトラップ等に投入すると、簡単かつ自然に、封水と混合する。
また、セントラルヒーティングの冷媒（水）やその他の凍結防止用に本発明を広く利用でき、寒冷地での広い用途に適用できる。
【００１７】
また、グリセリンを10〜80重量％、尿素を５〜20重量％、残りを主としてアルカリ還元水としたものであるので、自然界へ与える影響も少なく、十分に蒸発圧が低下し、寒冷地に於て、凍結せず、安心して使用できる。
さらに、蒸発しにくく長期間にわたって渇水せず、例えば、10ヶ月に１度の補給で十分である。さらに、本剤をトラップ等に投入すると、簡単かつ自然に、封水と混合する。しかも、引火の危険性もなく、排水トラップの下部へ沈澱することもなく、凝固物も生じにくい。特に、−35℃程度にもなる寒冷地にも適用可能となる。
また、上記グリセリンは、廃グリセロールを蒸留生成したものであるので、現在、多量の処理に困っているＢＤＦを有効に再利用できる利点がある。
【符号の説明】
【００１８】
２  排水管
５  蒸発圧低下剤
10  混合封水液
Ｗ  封水
Ｔ  排水トラップ
【図１】
2011252346.tif 000004
【図２】
2011252346.tif 000005
【図３】
2011252346.tif 000006
【図４】
2011252346.tif 000007